【手続補正書】
【提出日】平成29年2月8日(2017.2.8)
【手続補正１】
【補正対象書類名】明細書
【補正対象項目名】０００７
【補正方法】変更
【補正の内容】
【０００７】
実施形態に係る電子機器は、自機が記録したコンテンツの情報と、少なくとも１つ以上の通信可能な他機が記録したコンテンツの情報との統合情報を表示させる指示を受け付ける受信部と、前記自機が記録したコンテンツの情報と関連づけられた画像データが記録された画像記録部と、前記指示に基づいて、前記他機が記録したコンテンツの情報を取得する情報取得部と、前記取得したコンテンツの情報に前記画像記録部に記録された画像を対応させる画像抽出部と、を備える。
【手続補正２】
【補正対象書類名】明細書
【補正対象項目名】００２５
【補正方法】変更
【補正の内容】
【００２５】
また、コントローラ１１０は、ＣＰＵ１１００が実行する制御プログラムを格納したＲＯＭ（read only memory）１１０１と、ＣＰＵ１１００に作業エリアを提供するＲＡＭ（random access memory）１１０２と、各種の設定情報及び制御情報等が格納される不揮発性メモリ１１０３とを備えている。不揮発性メモリ１１０３は、例えば、画像記録部１１０４を記憶領域の一部として含む。または、画像記録部１１０４は、不揮発性メモリ１１０３そのものであってもよい。画像記録部１１０４には、コンテンツの情報と関連づけられた画像データが記録されている。または、画像記録部１１０４は、コントローラ１１０の外部に設けられた記録部１５１内に設けられていてもよい。コントローラ１１０は、情報取得部２１０および画像抽出部２２０を更に備える。情報取得部２１０は、ＤＬＮＡ認証されたソース機器に記録されたコンテンツの情報を取得する。画像抽出部２２０は、ソース機器から取得したコンテンツの情報に画像記録部１１０４に記録された画像を対応させる。
【手続補正３】
【補正対象書類名】明細書
【補正対象項目名】００３４
【補正方法】変更
【補正の内容】
【００３４】
情報取得部２１０は、ユーザからの指示を受けて、ネットワークに接続された通信可能な他機（ソース機器）に記録されたコンテンツの情報を取得できる。上記取得可能な情報は、例えば、他機に記録された番組のリストおよび各番組のジャンル情報、番組タイトル、番組出演者、番組情報中のキーワードなどである。情報取得部２１０がソース機器から取得可能な情報は、著作権保護されていない、ネットワークを介してダウンロード可能な情報である。なお、情報取得部２１０は、ソース機器に記録された著作権保護されたコンテンツをストリーム再生することもできる。例えば、情報取得部２１０は、他機に記録された放送番組の内容そのものをストリーム再生することができる。
【手続補正４】
【補正対象書類名】明細書
【補正対象項目名】００４１
【補正方法】変更
【補正の内容】
【００４１】
以下、図５を参照しながら、第２の実施形態に係る電子機器１Ｂの特徴を更に具体的に説明する。図５は、ＤＬＮＡ認証された複数の電子機器が家庭内ネットワークに接続されているシステム５を示した概念図である。システム５では、第２の実施形態に係る電子機器１Ｂ（以下、Ｚ１）、タイムシフト録画可能なテレビ５２およびレコーダー５６（以下、Ｚ２およびＲ１）およびタイムシフト録画機能を有さないテレビ５４（以下、Ｊ１）が、互いに通信可能な状態でネットワークに接続されている。Ｊ１は、チューナー部１０３がチューナーを１つしか持たず、記録部１５１を有さない点がＺ１およびＺ２と異なる。Ｒ１は、Ｚ１およびＺ２と同様にチューナーを複数有し、タイムシフト録画可能であるが、以下では、簡単のため、Ｚ１およびＺ２のみがタイムシフト録画しているものとする。システム５において、シンク機器であるＺ１の情報取得部２１０は、ソース機器であるＺ２に記録された番組の番組リストを、ネットワークを介して取得することができる。
【手続補正５】
【補正対象書類名】明細書
【補正対象項目名】００４４
【補正方法】変更
【補正の内容】
【００４４】
図６Ａ、６Ｂおよび７は、記録された番組リストの二、三の例である。第２の実施形態に係る電子機器１Ｂは、更に他の番組リストを表示することも可能である。電子機器１Ｂは、例えば、自機（シンク機器）に記録された番組リストの番組欄に番組内容から生成したサムネイル画像を重畳し、ソース機器に記録された番組リストの番組欄に画像抽出部２２０が抽出した画像を重畳した番組リストを表示することも可能である。図８Ａおよび図８Ｂは、それぞれ、番組情報と画像生成部２２０が抽出した画像とを併せた番組欄の表示例および番組情報と番組内容から生成したサムネイル画像とを併せた番組欄の表示例である。図８Ａおよび図８Ｂのそれぞれにおいて、画像の左上に放送局のロゴが表示され、画像の中央付近には、記録された番組の放送日時および番組タイトルが表示されている。図８Ａは、図８Ｂと異なり、画像の右上にジャンル名が更に表示されていて、画像記録部１１０４から抽出された、番組ジャンルに対応した画像であることが示されている。
【手続補正６】
【補正対象書類名】特許請求の範囲
【補正対象項目名】全文
【補正方法】変更
【補正の内容】
【特許請求の範囲】
【請求項１】
自機が記録したコンテンツの情報と、少なくとも１つ以上の通信可能な他機が記録したコンテンツの情報との統合情報を表示させる指示を受け付ける受信部と、
前記自機が記録したコンテンツの情報と関連づけられた画像データが記録された画像記録部と、
前記指示に基づいて、前記他機が記録したコンテンツの情報を取得する情報取得部と、
前記取得したコンテンツの情報に前記画像記録部に記録された画像を対応させる画像抽出部と、
を備える電子機器。
【請求項２】
更に、前記取得したコンテンツの情報と前記自機が記録したコンテンツの情報の情報とを統合する情報統合部と、
前記情報統合部によって生成され、前記取得したコンテンツの情報および前記画像抽出部によって対応させられた前記画像の組み合わせと前記自機が記録したコンテンツの情報および前記自機が記録したコンテンツ中に含まれる映像を利用して生成した画像の組み合わせとを、それぞれ、少なくとも１つ含む前記統合情報を表示器に表示する統合情報表示部と、
を備える請求項１に記載の電子機器。
【請求項３】
前記統合情報は、放送中または再生中の映像に対して、全表示領域の下側３分の１の領域内に重畳して表示される請求項２に記載の電子機器。
【請求項４】
前記自機が記録したコンテンツの情報および前記取得したコンテンツの情報は、録画番組のジャンル情報または番組タイトルである請求項１に記載の電子機器。
【請求項５】
自機が記録したコンテンツの情報と少なくとも１つ以上の通信可能な他機が記録したコンテンツの情報との統合情報を表示させる指示を受け付け、
前記自機が記録したコンテンツの情報と関連づけられた画像データが記録され、
前記指示に基づいて前記他機が記録したコンテンツの情報を取得し、
前記取得したコンテンツの情報に前記記録された画像を対応させるコンテンツ情報処理方法。
【請求項６】
更に、
前記取得したコンテンツの情報と前記自機が記録したコンテンツの情報とを統合し、
情報統合部によって生成され、前記取得したコンテンツの情報および前記対応させられた前記画像の組み合わせと前記自機が記録したコンテンツの情報および前記自機が記録したコンテンツ中に含まれる映像を利用して生成した画像の組み合わせとを、それぞれ、少なくとも１つ含む前記統合情報を表示する請求項５に記載のコンテンツ情報処理方法。
【請求項７】
前記統合情報は、放送中または再生中の映像に対して、全表示領域の下側３分の１の領域内に重畳して表示される請求項６に記載のコンテンツ情報処理方法。
【請求項８】
前記自機が記録したコンテンツの情報および前記取得したコンテンツの情報は、録画番組のジャンル情報または番組タイトルである請求項５に記載のコンテンツ情報処理方法。